(57)【要約】【課題】  強い地震や振動に対し、複数の石材ブロック単体が積み重ねられて成る石造物の倒壊や位置ずれを柔軟に効果的に防止することができる石造物の耐震構造を提供する。【解決手段】  多段構造の石造物１の最上段以外の段に積み重ねられた上下石材ブロック単体同士２０、３０のうち、一方の石材ブロック単体２０の他方の石材ブロック単体３０との接触面Ｓ３には、複数の第１の円孔２２が、接触面Ｓ３のＸ、Ｙ中心線に関して対称に配置されて、それぞれ穿孔されている。これら上下石材ブロック単体同士２０、３０間には、複数の第１の円孔２２の各々の中心に位置するようにして、反発弾性が低く、引張り強度の高いゴム材から成る第１の円柱状緩衝部材４が立設されて介装されている。第１の円孔２２の大きさは、予想される最大強度の地震や振動に対して生ずる第１の円柱状緩衝部材４の変形を受け入れることができる大きさにされている。【選択図】      図１
2009013723.tif 000002
【特許請求の範囲】
【請求項１】
複数の石材ブロック単体が、上下方向に多段に積み重ねられ、
最上段以外の段に積み重ねられた上下に隣接する前記石材ブロック単体同士のうち、一方の石材ブロック単体の他方の石材ブロック単体との接触面には、反発弾性が低く、引張り強度の高いゴム材から成る第１の円柱状緩衝部材の過半部を挿入することができる深さを有する複数の第１の円孔が、当該接触面のＸ、Ｙ中心線に関して対称に配置されて、それぞれ穿孔され、
これら最上段以外の段に積み重ねられた上下に隣接する石材ブロック単体同士間には、複数の前記第１の円孔の各々の中心に位置するようにして、前記第１の円柱状緩衝部材が立設されて介装され、
前記第１の円孔の大きさは、これら最上段以外の段に積み重ねられた上下に隣接する石材ブロック単体同士が予想される最大強度の地震や振動を受けて相対的に揺れ動いて位置ずれしたとき、前記第１の円柱状緩衝部材の変形を受け入れることができる大きさにされている
ことを特徴とする石造物の耐震構造。
【請求項２】
最上段に積み重ねられた上下に隣接する前記石材ブロック単体同士のうち、
一方の石材ブロック単体の他方の石材ブロック単体との接触面の中央部には、反発弾性が低く、引張り強度の高いゴム材から成る独楽状の第２の円柱状緩衝部材の中央大径部を境にしてその一半部を挿入することができる深さを有する第２の円孔が穿孔され、
他方の石材ブロック単体の一方の石材ブロック単体との接触面の中央部には、前記第２の円柱状緩衝部材の中央大径部を境にしてその他半部を挿入することができる深さを有する第３の円孔が穿孔され、
これら最上段に積み重ねられた上下に隣接する石材ブロック単体同士間には、前記第２の円孔及び前記第３の円孔に前記第２の円柱状緩衝部材の一半部及び他半部をそれぞれ挿入して、前記第２の円柱状緩衝部材が介装されている
ことを特徴とする請求項１記載の石造物の耐震構造。
【請求項３】
最上段以外の段に積み重ねられた上下に隣接する前記石材ブロック単体同士間には、反発弾性が低く、引張り強度の高いゴム材から成る間座状の複数の小緩衝部材が、それら石材ブロック単体同士の両接触面の外周部に、それらの接触面のＸ、Ｙ中心線に関して対称に配置されて、それぞれ貼設されている
ことを特徴とする請求項１又は２記載の石造物の耐震構造。
【請求項４】
最上段に積み重ねられた上下に隣接する前記石材ブロック単体同士間には、反発弾性が低く、引張り強度の高いゴム材から成るパッキン状の細長緩衝部材が、それら石材ブロック単体同士の両接触面の外周部の全周を巡って、前記第２の円柱状緩衝部材の中央大径部を囲むようにして、貼設されている
ことを特徴とする請求項２又は３記載の石造物の耐震構造。
【発明の詳細な説明】
【技術分野】
【０００１】
本願の発明は、墓石等石造物の耐震構造に関し、特に複数の石材ブロック単体が多段に積み重ねられて成る石造物が、地震や強い振動等で倒壊したり、移動（位置ずれ）したりするのを防止するための石造物の耐震構造に関する。
【背景技術】
【０００２】
従来から、墓石等石造物の耐震構造に関し、種々の提案がなされている。それらのうちの多くのものは、石造物を構成する上下方向に積層された複数の石材ブロック単体の各々の隣接する他の石材ブロック単体との接触面に、棒状体の一半部を挿入することができる孔を穿孔し、当該他の石材ブロック単体の対応する接触面にも、先の孔と対応する位置に同様の孔を穿孔し、これらの孔に棒状体の一半部及び他半部をそれぞれ挿入して、これら上下の石材ブロック単体同士を積み重ねることにより、上位の石材ブロック単体が下位の石材ブロック単体に対して分離して倒壊したり、また、これら上下の石材ブロック単体同士が相対的に縦方向、横方向に揺れ動いて位置ずれしたりすることがないようにしている。
【０００３】
この場合において、孔と棒状体との間の隙間や、上下の石材ブロック単体同士が接触する上下接触面間に接着剤や衝撃吸収剤を流し込んで固化させることにより、上下の石材ブロック単体同士の結合を強固にして、上記のような石材ブロック単体の分離、倒壊や上下石材ブロック単体同士の相対揺動、位置ずれをより確実に防止することも行われている（特許文献１、２）。
【０００４】
このような石造物の耐震構造は、それなりに一定の効果が期待されるものと考えられる。しかしながら、これらの手段は、上下に隣接し合う石材ブロック単体同士を強固に結合して、石造物全体を一体化し、地震や強い振動等に備えさせるものであるから、連結部や接着部に高い強度が必要となり、施工が複雑化する。また、このようにして構築された剛構造の石造物は、非常に強い地震や振動に対しては、石材中の弱い個所から亀裂が発生して崩壊するなど、全体として脆い構造物に転化する虞もある。
【０００５】
なお、特許文献１に記載のものにおいては、衝撃吸収が図られているが、そのために使用される衝撃吸収剤は、孔と棒状体との間の隙間や、上下の石材ブロック単体同士が接触する上下接触面間に介在させられているので、その衝撃吸収の程度は、ごく部分的に止まるものと推察される。
【０００６】
これに対して、上下に隣接し合う石材ブロック単体同士の相対揺動をある程度許容（吸収）しつつ、重力による復元力を利用して原形に復帰させるようにした、柔構造を備えた石造物の耐震構造も提案されている（特許文献３）。しかしながら、このものは、緩衝体と呼ばれる上下石材ブロック単体間に挿入される部材が円板状をなしており、これが、隣接し合う石材ブロック単体同士の各接触面に形成された、円板を半割にした形状の孔空間（収納空間）に収納されており、しかも、このような緩衝体の複数個が矩形状の同一接触面上で面の各辺に沿うようにして配置されているので、揺れの吸収が全方位に渡って十分になされるものとはなっていない。このため、非常に強い地震や振動に対しては、石材ブロック単体、牽いては、石造物全体の倒壊の虞が依然として残っている。
【特許文献１】特開平１１−３５０７９５号公報
【特許文献２】特開平０９−０９６１２７号公報
【特許文献３】特開平１０−１８４１０３号公報
【発明の開示】
【発明が解決しようとする課題】
【０００７】
本願の発明は、従来の石材ブロック単体が多段に積み重ねられて成る石造物の耐震構造が有する前記のような問題点を解決して、非常に強い地震や振動に対しても、上下に隣接し合う石材ブロック単体同士の相対揺動（縦揺れ、横揺れ）を全方位に渡って十分に吸収しつつ、ゆっくりとした強い復元力でこれら石材ブロック単体同士を原位置に復帰せしめて、石造物の倒壊や位置ずれ、変形を柔軟に効果的に防止することができる石造物の耐震構造を提供することを課題とする。
【課題を解決するための手段】
【０００８】
前記のような課題は、本願の各請求項に記載された次のような発明により解決される。  すなわち、その請求項１に記載された発明は、複数の石材ブロック単体が、上下方向に多段に積み重ねられ、最上段以外の段に積み重ねられた上下に隣接する前記石材ブロック単体同士のうち、一方の石材ブロック単体の他方の石材ブロック単体との接触面には、反発弾性が低く、引張り強度の高いゴム材から成る第１の円柱状緩衝部材の過半部を挿入することができる深さを有する複数の第１の円孔が、当該接触面のＸ、Ｙ中心線に関して対称に配置されて、それぞれ穿孔され、これら最上段以外の段に積み重ねられた上下に隣接する石材ブロック単体同士間には、複数の前記第１の円孔の各々の中心に位置するようにして、前記第１の円柱状緩衝部材が立設されて介装され、前記第１の円孔の大きさは、これら最上段以外の段に積み重ねられた上下に隣接する石材ブロック単体同士が予想される最大強度の地震や振動を受けて相対的に揺れ動いて位置ずれしたとき、前記第１の円柱状緩衝部材の変形を受け入れることができる大きさにされていることを特徴とする石造物の耐震構造である。
【０００９】
請求項１に記載された発明は、前記のように構成されているので、今、石造物が、予想される最大強度の地震や振動を受けたとしても、その最上段以外の段に積み重ねられた上下に隣接する石材ブロック単体同士は、全方位に渡って縦、横に最大に相対的に揺れ動いて位置ずれして、なお、それらの間に介装されている、反発弾性が低く、引張り強度の高いゴム材から成る複数の第１の円柱状緩衝部材の各々の最大撓み変形を受け入れる。これにより、その耐震構造は、複数の第１の円柱状緩衝部材の各々の変形で強い衝撃を全方位に渡って十分に吸収しつつ、ゆっくりとした強い復元力で両石材ブロック単体同士を原位置に復帰させることができ、石造物の倒壊や位置ずれ、変形を柔軟に効果的に防止することができる。
【００１０】
また、その請求項２に記載された発明は、請求項１記載の石造物の耐震構造において、その最上段に積み重ねられた上下に隣接する前記石材ブロック単体同士のうち、一方の石材ブロック単体の他方の石材ブロック単体との接触面の中央部には、反発弾性が低く、引張り強度の高いゴム材から成る独楽状の第２の円柱状緩衝部材の中央大径部を境にしてその一半部を挿入することができる深さを有する第２の円孔が穿孔され、他方の石材ブロック単体の一方の石材ブロック単体との接触面の中央部には、前記第２の円柱状緩衝部材の中央大径部を境にしてその他半部を挿入することができる深さを有する第３の円孔が穿孔され、これら最上段に積み重ねられた上下に隣接する石材ブロック単体同士間には、前記第２の円孔及び前記第３の円孔に前記第２の円柱状緩衝部材の一半部及び他半部をそれぞれ挿入して、前記第２の円柱状緩衝部材が介装されていることを特徴としている。
【００１１】
請求項２に記載された発明は、前記のように構成されているので、今、石造物が、強い地震や振動を受けたとしても、最上段に積み重ねられた上下に隣接する石材ブロック単体同士は、それらの間に介装された第２の円柱状緩衝部材の中央大径部の高い衝撃吸収力により、それらの間の相対的な揺動（縦揺れ、横揺れ）を全方位に渡って小さく抑制しつつ、ゆっくりとした強い復元力で原位置に復帰するとともに、第２の円孔及び第３の円孔にそれぞれ挿入された第２の円柱状緩衝部材の一半部及び他半部により、それらの分離を完全に防止される。これにより、これら上下の石材ブロック単体同士が相対的に揺動して位置ずれしたり、また、最上位の石材ブロック単体が次位の石材ブロック単体に対して分離して倒壊したりすることがなく、石造物の倒壊や位置ずれ、変形をさらに柔軟に効果的に防止することができる。
【００１２】
また、その請求項３に記載された発明は、請求項１又は２記載の石造物の耐震構造において、その最上段以外の段に積み重ねられた上下に隣接する石材ブロック単体同士間に、反発弾性が低く、引張り強度の高いゴム材から成る間座状の複数の小緩衝部材が、それら石材ブロック単体同士の両接触面の外周部に、それらの接触面のＸ、Ｙ中心線に関して対称に配置されて、それぞれ貼設されていることを特徴としている。
【００１３】
請求項３に記載された発明は、この構成により、最上段以外の段に積み重ねられた上下に隣接する石材ブロック単体同士の両接触面の外周部においても、間座状の複数の小緩衝部材が、最大強度の地震や振動の強い衝撃を全方位に渡って補助的に吸収するので、石造物の倒壊や位置ずれ、変形をさらに柔軟に効果的に防止することができる。
【００１４】
さらに、その請求項４に記載された発明は、請求項２又は３記載の石造物の耐震構造において、その最上段に積み重ねられた上下に隣接する石材ブロック単体同士間に、反発弾性が低く、引張り強度の高いゴム材から成るパッキン状の細長緩衝部材が、それら石材ブロック単体同士の両接触面の外周部の全周を巡って、第２の円柱状緩衝部材の中央大径部を囲むようにして、貼設されていることを特徴としている。
【００１５】
請求項４に記載された発明は、この構成により、最上段に積み重ねられた上下に隣接する石材ブロック単体同士の両接触面の外周部においても、パッキン状の細長緩衝部材が、強い地震や振動の衝撃を全方位に渡って補助的に吸収するので、石造物の倒壊や位置ずれ、変形をさらに柔軟に効果的に防止することができる。また、このパッキン状の細長緩衝部材が、これら上下の石材ブロック単体同士の両接触面間に雨水が浸入するのを防止するので、雨水の凍結によるこれら石材ブロック単体の破損を防止することができる。
【発明の効果】
【００１６】
前記のとおり、本願の発明の石造物の耐震構造によれば、最上段以外の段に積み重ねられた上下に隣接する石材ブロック単体同士間に介装されている複数の第１の円柱状緩衝部材の各々の変形で、最大強度の地震や振動の縦揺れ、横揺れの強い衝撃を全方位に渡って十分に吸収しつつ、ゆっくりとした強い復元力で両石材ブロック単体同士を原位置に復帰させることができ、石造物の倒壊や位置ずれ、変形を柔軟に効果的に防止することができる。
【００１７】
また、最上段に積み重ねられた上下に隣接する石材ブロック単体同士間に介装される独楽状の第２の円柱状緩衝部材により、これら上下の石材ブロック単体同士が相対的に揺動して位置ずれしたり、また、最上位の石材ブロック単体が次位の石材ブロック単体に対して分離して倒壊したりすることがなく、石造物の倒壊や位置ずれ、変形をさらに柔軟に効果的に防止することができる。
【００１８】
また、間座状の複数の小緩衝部材やパッキン状の細長緩衝部材を、上下に隣接する石材ブロック単体同士の両接触面の外周部に使用することにより、石造物の倒壊や位置ずれ、変形をさらに柔軟に効果的に防止することができる。さらに、パッキン状の細長緩衝部材を、最上段に積み重ねられた上下に隣接する石材ブロック単体同士の両接触面の外周部に使用することにより、それら両接触面間に雨水が浸入するのを防止して、雨水の凍結によるこれら石材ブロック単体の破損を防止することができる。
【発明を実施するための最良の形態】
【００１９】
複数の石材ブロック単体が上下方向に多段に積み重ねられて成る石造物の耐震構造を、次のようにして構成する。
最上段以外の段に積み重ねられた上下に隣接する石材ブロック単体同士のうち、一方の石材ブロック単体の他方の石材ブロック単体との接触面には、反発弾性が低く、引張り強度の高いゴム材から成る第１の円柱状緩衝部材の過半部を挿入することができる深さを有する複数の第１の円孔を、当該接触面のＸ、Ｙ中心線に関して対称に配置して、それぞれ穿孔する。そして、これら最上段以外の段に積み重ねられた上下に隣接する石材ブロック単体同士間には、複数の第１の円孔の各々の中心に位置するようにして、第１の円柱状緩衝部材を立設して介装する。第１の円孔の大きさは、これら最上段以外の段に積み重ねられた上下に隣接する石材ブロック単体同士が予想される最大強度の地震や振動を受けて相対的に揺れ動いて位置ずれしたとき、第１の円柱状緩衝部材の変形を受け入れることができる大きさに設定する。
【００２０】
また、最上段に積み重ねられた上下に隣接する石材ブロック単体同士のうち、一方の石材ブロック単体の他方の石材ブロック単体との接触面の中央部には、反発弾性が低く、引張り強度の高いゴム材から成る独楽状の第２の円柱状緩衝部材の中央大径部を境にしてその一半部を挿入することができる深さを有する第２の円孔を穿孔し、他方の石材ブロック単体の一方の石材ブロック単体との接触面の中央部には、該第２の円柱状緩衝部材の中央大径部を境にしてその他半部を挿入することができる深さを有する第３の円孔を穿孔する。そして、これら最上段に積み重ねられた上下に隣接する石材ブロック単体同士間には、第２の円孔及び第３の円孔に第２の円柱状緩衝部材の一半部及び他半部をそれぞれ挿入するようにして、第２の円柱状緩衝部材を介装する。
【００２１】
さらに、最上段以外の段に積み重ねられた上下に隣接する石材ブロック単体同士間には、反発弾性が低く、引張り強度の高いゴム材から成る間座状の複数の小緩衝部材を、それら石材ブロック単体同士の両接触面の外周部に、それらの接触面のＸ、Ｙ中心線に関して対称に配置して、それぞれ貼設するとともに、最上段に積み重ねられた上下に隣接する石材ブロック単体同士間には、反発弾性が低く、引張り強度の高いゴム材から成るパッキン状の細長緩衝部材を、それら石材ブロック単体同士の両接触面の外周部の全周を巡って、かつ、第２の円柱状緩衝部材の中央大径部を囲むようにして、貼設する。
【実施例】
【００２２】
次に、本願の発明の一実施例について説明する。
図１は、本実施例の石造物の耐震構造の概略正面図、図２は、図１のＬ１−Ｌ１平面から上方に見た最上段の竿石の底面図であって、（ａ）は緩衝部材が貼設されていない状態を示す図、（ｂ）は緩衝部材が貼設された状態を示す図、図３は、図１のＬ２−Ｌ２平面から上方に見た中段の中台石の底面図であって、（ａ）は緩衝部材が貼設されていない状態を示す図、（ｂ）は緩衝部材が貼設された状態を示す図、図４は、図１のＬ２−Ｌ２平面から下方に見た最下段の基台石の上面図、図５は、最上段の竿石と中段の中台石との間に介装される第２の円柱状緩衝部材を示す図であって、（ａ）は斜視図、（ｂ）は正面図、（ｃ）は衝撃力Ａを受けて撓んだ状態を示す正面図、図６は、図１の部分図であり、中段の中台石と最下段の基台石との間に緩衝部材が介装された状態を示す図であって、（ａ）は正常状態を示す正面図、（ｂ）は衝撃力Ｂを受けて両石が相対的に揺動（横揺れ）した状態を示す正面図である。
【００２３】
本実施例の石造物の耐震構造は、複数の石材ブロック単体が多段に積み重ねられて成る石造物が、地震や強い振動等で倒壊したり、移動（位置ずれ）したりするのを防止するために特に工夫されたものである。本実施例においては、その複数の石材ブロック単体は、図１に図示されるように、最下位の基台石３０、中位の中台石２０、最上位の竿石１０とから成り、石造物１は、これらの石が下方から上方に順次積み重ねられて成る墓石である。最上位の竿石１０は、一般に、仏石とも呼ばれる。これらの石は、一般に、平面視矩形状をなしており、高さは様々の四角柱体として形成される。本実施例においては、墓石１は、３つの石を２段に積み重ねた２段構成の石造物として形成されたが、これに限らず、さらに多くの石を用いて３段構成、４段構成として形成される場合もある。
【００２４】
以下、本実施例の墓石（石造物）１の耐震構造について、図面を参照しながら、順を追って詳細に説明する。
先ず、最上段以外の段に積み重ねられた上下に隣接する石材ブロック単体同士の間の耐震構造について説明する。
【００２５】
最上段以外の段に積み重ねられた上下に隣接する石材ブロック単体同士、すなわち、本実施例の場合、下段に積み重ねられた上下に隣接する中台石２０と基台石３０とのうち、一方の石材ブロック単体を成す中台石２０の他方の石材ブロック単体を成す基台石３０との接触面Ｓ３（以下、簡単に「中台石２０の接触面Ｓ３」という。他の接触面について同様。）には、図１及び図３に図示されるように、反発弾性が低く、引張り強度の高いブチルゴム等を配合したゴム材から成る第１の円柱状緩衝部材４の過半部を挿入することができる深さを有する複数（本実施例の場合、４個）の第１の円孔２２が、当該接触面Ｓ３のＸ、Ｙ中心線に関して対称に配置されて、それぞれ穿孔されている。そして、中台石２０と基台石３０との間には、これら複数の第１の円孔２２の各々の中心に位置するようにして、第１の円柱状緩衝部材４が立設されて介装されている。この場合、第１の円柱状緩衝部材４の両端面は、第１の円孔２２の天井面、基台石３０の上面にそれぞれ接着剤にて接着されて固定されるのが良い。
【００２６】
第１の円孔２２は、基台石３０の接触面Ｓ４（Ｓ４は、基台石３０の上面の一部である。図４参照。）よりも、中台石２０の接触面Ｓ３に穿孔されるのが望ましい。基台石３０の接触面Ｓ４に穿孔されると、そこに水が溜まり易くなって、不衛生になる。また、その大きさ（深さと直径）は、これら中台石２０と基台石３０とが、図６に図示されるように、予想される最大強度の地震や振動を受けて、その衝撃力Ｂにより相対的に揺れ動いて位置ずれしたとき、第１の円柱状緩衝部材４の変形を略受け入れることができる大きさにされるのが望ましい。具体的には、その直径は、第１の円柱状緩衝部材４の直径の２倍以上である。
【００２７】
また、中台石２０と基台石３０との間には、図１及び図３に図示されるように、反発弾性が低く、引張り強度の高いゴム材から成る間座状の複数（本実施例の場合、４個）の小緩衝部材５が、それら中台石２０と基台石３０との両接触面（中台石２０と基台石３０とが、それをもって互いに接触することとなるそれらの両接触面）Ｓ３、Ｓ４の外周部に、それらの接触面Ｓ３、Ｓ４のＸ、Ｙ中心線に関して対称に配置されて、それぞれ貼設されている。この場合、小緩衝部材５は、接触面Ｓ３、Ｓ４の両方に接着剤により貼り付け固定される必要はなく、いずれか一方に貼り付け固定されて、他方には圧接するようにされれば良い。
【００２８】
中台石２０と基台石３０との間の耐震構造は、前記のように構成されているので、次のような作用、効果を奏することができる。
今、墓石１が、予想される最大強度の地震や振動を受けたとして、中台石２０と基台石３０同士は、全方位に渡って縦、横に最大に、柔軟に、相対的に揺れ動いて位置ずれして、なお、それらの間に介装されている複数の第１の円柱状緩衝部材４の各々の最大撓み変形を、その複数の第１の円孔２２を以って受け入れる。これにより、その耐震構造は、複数の第１の円柱状緩衝部材４の各々の変形で強い衝撃を全方位に渡って十分に吸収しつつ、ゆっくりとした強い復元力で両石同士を原位置に復帰させることができ、墓石１の倒壊や位置ずれ、変形を柔軟に効果的に防止することができる。
【００２９】
また、中台石２０と基台石３０との両接触面Ｓ３、Ｓ４の外周部においても、間座状の複数の小緩衝部材５が、これら両接触面Ｓ３、Ｓ４間に介在していて、最大強度の地震や振動の強い衝撃を全方位に渡って補助的に吸収するので、中台石２０の基台石３０に対する倒壊や位置ずれを防ぎ、牽いては、墓石１の倒壊や位置ずれ、変形をさらに柔軟に効果的に防止することができる。
【００３０】
次に、最上段に積み重ねられた上下に隣接する石材ブロック単体同士の間の耐震構造について説明する。
最上段に積み重ねられた上下に隣接する石材ブロック単体同士、すなわち、本実施例の場合、上段に積み重ねられた上下に隣接する竿石１０と中台石２０とのうち、一方の石材ブロック単体を成す竿石１０の他方の石材ブロック単体を成す中台石２０との接触面Ｓ１の中央部には、図１及び図２に図示されるように、反発弾性が低く、引張り強度の高いゴム材から成る独楽状の第２の円柱状緩衝部材２の中央大径部２ｃを境にしてその一半部２ａを挿入することができる深さと径を有する第２の円孔１１が穿孔されている。また、中台石２０の竿石１０との接触面Ｓ２（ここで、Ｓ２は、中台石２０の上面の一部である。）の中央部にも、第２の円柱状緩衝部材２の中央大径部２ｃを境にしてその他半部２ｂを挿入することができる深さと径を有する第３の円孔２１が穿孔されている。そして、これら竿石１０と中台石２０との間には、第２の円孔１１及び第３の円孔２１に第２の円柱状緩衝部材２の一半部２ａ及び他半部３ｂをそれぞれ挿入した状態にして、第２の円柱状緩衝部材２が介装されている。
【００３１】
このようにして、竿石１０と中台石２０との間に第２の円柱状緩衝部材２が介装されたとき、竿石１０と中台石２０との両接触面（竿石１０と中台石２０とが、それをもって互いに接触することとなるそれらの両接触面）Ｓ１、Ｓ２間には、第２の円柱状緩衝部材２の中央大径部２ｃが介装されることになる。第２の円柱状緩衝部材２の外表面は、接着剤により第２の円孔１１、第３の円孔２１、両接触面Ｓ１、Ｓ２にそれぞれ貼り付け固定されるのが良い。
【００３２】
また、竿石１０と中台石２０との間には、反発弾性が低く、引張り強度の高いゴム材から成るパッキン状の細長緩衝部材３が、それら竿石１０と中台石２０との両接触面Ｓ１、Ｓ２の外周部の全周を巡って、かつ、第２の円柱状緩衝部材２の中央大径部２ｃを囲むようにして、貼設されている。この場合、細長緩衝部材３は、接触面Ｓ１、Ｓ２の両方に接着剤により貼り付け固定される必要はなく、少なくとも接触面Ｓ２に貼り付け固定されて、他方には圧接するようにされれば良い。
【００３３】
竿石１０と中台石２０との間の耐震構造は、前記のように構成されているので、次のような作用、効果を奏することができる。
今、墓石１が、強い地震や振動を受けたとして、竿石１０と中台石２０とは、それらの間に介装された第２の円柱状緩衝部材２の中央大径部２ｃの高い衝撃吸収力により、それらの間の相対的な揺動（縦揺れ、横揺れ）を全方位に渡って小さく抑制しつつ、ゆっくりとした強い復元力で原位置に復帰するとともに、第２の円孔１１及び第３の円孔２１にそれぞれ挿入された第２の円柱状緩衝部材２の一半部２ａ及び他半部２ｃにより、それらの分離を完全に防止される。これにより、これら竿石１０と中台石２０とが相対的に揺動して位置ずれしたり、また、竿石１０が中台石２０に対して分離して倒壊したりすることがなく、墓石１の倒壊や位置ずれ、変形を柔軟に効果的に防止することができる。
【００３４】
また、竿石１０と中台石２０との両接触面Ｓ１、Ｓ２の外周部においても、パッキン状の細長緩衝部材３が、強い地震や振動の衝撃を全方位に渡って補助的に吸収するので、墓石１の倒壊や位置ずれ、変形をさらに柔軟に効果的に防止することができる。加えて、このパッキン状の細長緩衝部材３は、これら竿石１０と中台石２０との両接触面Ｓ１、Ｓ２間に雨水が浸入するのを防止するので、雨水の凍結によるこれらの石の破損を防止することができる。
【００３５】
なお、本実施例の墓石１の耐震構造が奏する作用、効果は、以上に述べたような、中台石２０と基台石３０との間の耐震構造が奏する作用、効果と、竿石１０と中台石２０との間の耐震構造が奏する作用、効果とが総合的に発揮されて奏されるもので、これにより、本実施例の墓石１の耐震構造は、予想される最大強度の地震や振動に対しても、墓石１の倒壊や位置ずれ、変形をきわめて柔軟にして効果的に防止することができるという、優れた効果を奏するものである。
【００３６】
なお、本願の発明は、以上の実施例に限定されず、その要旨を逸脱しない範囲において、種々の変形が可能である。
例えば、中台石２０と基台石３０との間の耐震構造は、墓石１が３段構成、４段構成として形成される場合の他の最上段以外の段に積み重ねられた上下に隣接する石材ブロック単体同士の間の耐震構造として適用されることが可能である。また、石造物としては、墓石に限られず、石像、石灯籠等各種の石材多層構造物に適用が可能である。
【図面の簡単な説明】
【００３７】
【図１】本願の発明の一実施例の石造物の耐震構造の概略正面図である。
【図２】図１のＬ１−Ｌ１平面から上方に見た最上段の竿石の底面図であって、（ａ）は緩衝部材が貼設されていない状態を示す図、（ｂ）は緩衝部材が貼設された状態を示す図である。
【図３】図１のＬ２−Ｌ２平面から上方に見た中段の中台石の底面図であって、（ａ）は緩衝部材が貼設されていない状態を示す図、（ｂ）は緩衝部材が貼設された状態を示す図である。
【図４】図１のＬ２−Ｌ２平面から下方に見た最下段の基台石の上面図である。
【図５】最上段の竿石と中段の中台石との間に介装される第２の円柱状緩衝部材を示す図であって、（ａ）は斜視図、（ｂ）は正面図、（ｃ）は衝撃力Ａを受けて撓んだ状態を示す正面図である。
【図６】図１の部分図であり、中段の中台石と最下段の基台石との間に緩衝部材が介装された状態を示す図であって、（ａ）は正常状態を示す正面図、（ｂ）は衝撃力Ｂを受けて両石が相対的に揺動（横揺れ）した状態を示す正面図である。
【符号の説明】
【００３８】
１…墓石（石造物）、２…第２の円柱状緩衝部材、２ａ…一半部、２ｂ…他半部、２ｃ…中央大径部、３…細長緩衝部材、４…第１の円柱状緩衝部材、５…小緩衝部材、１０…竿石（最上位の石材ブロック単体）、１１…第２の円孔、２０…中台石（中位の石材ブロック単体）、２１…第３の円孔、２２…第１の円孔、３０…基台石（最下位の石材ブロック単体）、Ｓ１〜Ｓ４…接触面。
【図１】
2009013723.tif 000003
【図２】
2009013723.tif 000004
【図３】
2009013723.tif 000005
【図４】
2009013723.tif 000006
【図５】
2009013723.tif 000007
【図６】
2009013723.tif 000008